(57)【要約】【課題】安全のために浴槽への注湯温度を低下させると、浴槽内の湯温を所定温度にするために必要な注湯量が増え、その結果、浴槽の湯量が必要以上に多くなってしまい、場合によっては浴槽の容量を超えてしまうという課題があった。【解決手段】浴槽から注湯管の途中に接続され浴槽の水を取り出す浴槽水取出管と、浴槽水取出管に配置したポンプを備え、浴槽の水を取り出して加熱手段からの湯と混合して浴槽に注湯するようにしたものである。これによって、注湯管からの高温の湯を浴槽の水と混合して温度を低下させてから安全な温度で浴槽に注湯できるとともに、浴槽への注湯量も少なく抑えることができる。【選択図】図１
2007309615.tif 000002
【特許請求の範囲】
【請求項１】
水を加熱して湯にする加熱源と、前記加熱源により加熱された湯を浴槽に注湯する浴槽注湯管と、前記浴槽にある浴槽水を循環させる浴槽水取出管と、前記浴槽注湯管の途中に配置した注湯側流量調節手段とを備え、前記浴槽水取出管からの湯水が前記浴槽注湯管へ流入して混合可能とするために前記浴槽水取出管は前記浴槽注湯管と接続し、前記浴槽水取出管からの湯水が前記浴槽注湯管へ流入して混合した場合、その混合湯水の温度に応じて前記注湯側流量調節手段により前記浴槽注湯管を流れる流量を可変させる給湯装置。
【請求項２】
水を加熱して湯にする加熱源と、前記加熱源により加熱された湯を浴槽に注湯する浴槽注湯管と、前記浴槽にある浴槽水を循環させる浴槽水取出管と、前記浴槽水取出管の途中に配置した浴槽側流量調節手段とを備え、前記浴槽水取出管からの湯水が前記浴槽注湯管へ流入して混合可能とするために前記浴槽水取出管は前記浴槽注湯管と接続し、前記浴槽水取出管からの湯水が前記浴槽注湯管へ流入して混合した場合、その混合湯水の温度に応じて前記浴槽側流量調節手段により前記浴槽水取出管を流れる流量を可変させる給湯装置。
【請求項３】
加熱源により加熱された湯を蓄える貯湯槽を備えた１または２記載の給湯装置。
【請求項４】
水を加熱する加熱源をヒートポンプとした請求項１〜３のいずれか１項に記載の給湯装置。
【請求項５】
ヒートポンプの冷媒回路は、圧力が臨界圧力以上となる超臨界冷媒回路であり、前記臨界圧力以上に昇圧された冷媒により水を加熱する請求項４に記載の給湯装置
【請求項６】
水を加熱する加熱源を燃料電池とした請求項１〜３のいずれか１項に記載の給湯装置。
【発明の詳細な説明】
【技術分野】
【０００１】
本発明は水を加熱して浴槽への注湯を行う給湯装置に関するものである。
【背景技術】
【０００２】
従来のこの種の給湯装置としては、例えば、特開２００２−１３０８０４号公報に記載されているようなものがあった。図６は、前記公報に記載された従来の給湯装置を示すものである。
【０００３】
図７に示すように、この給湯装置は貯湯槽１と加熱手段２を循環回路３で接続し、循環回路３に設けた循環ポンプ４で貯湯槽１の下部からの水を加熱手段２へと送り、そこで加熱した高温水を貯湯槽１に戻して蓄える。貯湯槽１の下部に給水管５が接続され給水を供給するともに、貯湯槽１の上部から浴槽６へと注湯管７が接続されており、注湯管７の途中に設けた注湯弁８を開くことによって、浴槽６への注湯を行う。また、入浴時に浴槽６内の湯温が低下した場合には、注湯管６から高温の湯を注湯することによって、浴槽６内の湯温を上昇させる。
【特許文献１】特開２００２−１３０８０４号公報
【発明の開示】
【発明が解決しようとする課題】
【０００４】
このような給湯装置は、浴槽６内の湯温を上昇させたい場合には高温の湯を浴槽６に注湯して混合させることで行う。このとき浴槽６の水位は注湯する湯量に応じて上昇するため、水位上昇を抑えるためには、注湯温度をなるべく高くして浴槽６内に注湯する湯量を少なく抑える必要がある。しかし、浴槽６内に人がいた場合にはその高温の湯に直接体が触れる可能性があるため、安全上の問題から注湯する湯の温度をあまり高温にはできず、火傷をしないよう、例えば６０℃以下といった温度にする必要がある。注湯温度を低下させると、浴槽６内の湯温を所定温度にするために必要な注湯量が増え、その結果、浴槽の湯量が必要以上に多くなってしまい、場合によっては浴槽６の容量を超えてしまうという課題があった。
【０００５】
本発明は、上記課題を解決するもので、浴槽に注湯する湯量を少なく抑えるとともに、浴槽内への注湯温度を低く抑えることで、実用的で安全な浴槽への注湯を行うことのできる給湯装置の提供を目的とする。
【課題を解決するための手段】
【０００６】
前記従来の課題を解決するために、浴槽水取出管からの湯水が浴槽注湯管へ流入して混合した場合、その混合湯水の温度に応じて注湯側流量調節手段により浴槽注湯管を流れる流量を可変させるので、注湯管からの高温の湯を浴槽の水と混合して温度を低下させてから安全な温度で浴槽に注湯できるとともに、浴槽への注湯量も少なく抑えることができる。
【０００７】
また、浴槽水取出管からの湯水が浴槽注湯管へ流入して混合した場合、その混合湯水の温度に応じて浴槽側流量調節手段により浴槽水取出管を流れる流量を可変させるので、注湯管からの高温の湯を浴槽の水と混合して温度を低下させてから安全な温度で浴槽に注湯できるとともに、浴槽への注湯量も少なく抑えることができる。
【発明の効果】
【０００８】
本発明の給湯装置は、浴槽水取出管からの湯水が浴槽注湯管へ流入して混合した場合、
その混合湯水の温度に応じて注湯側流量調節手段により浴槽注湯管を流れる流量を可変させるようにしたものである。また、浴槽水取出管からの湯水が浴槽注湯管へ流入して混合した場合、その混合湯水の温度に応じて浴槽側流量調節手段により浴槽水取出管を流れる流量を可変させるようにしたものである。
【０００９】
それによって、取り出した浴槽水によって注湯管からの高温の湯の温度を下げて浴槽に注湯する。給湯装置から供給する湯の温度を高くしつつ、浴槽へもどる温度を低く抑えることができるので、安全な温度で浴槽水の増量を抑えた注湯を行うことができる。
【発明を実施するための最良の形態】
【００１０】
第１の発明は、水を加熱して湯にする加熱源と、加熱源により加熱された湯を浴槽に注湯する浴槽注湯管と、浴槽にある浴槽水を循環させる浴槽水取出管と、浴槽注湯管の途中に注湯側流量調節手段とを備え、浴槽水取出管からの湯水が浴槽注湯管へ流入して混合可能とするために浴槽水取出管は浴槽注湯管と接続し、浴槽水取出管からの湯水が浴槽注湯管へ流入して混合した場合、その混合湯水の温度に応じて注湯側流量調節手段により浴槽注湯管を流れる流量を可変させるものである。それによって、取り出した浴槽水によって注湯管からの高温の湯の温度を下げて浴槽に注湯する。給湯装置から供給する湯の温度を高くしつつ、浴槽へもどる温度を低く抑えることができるので、安全な温度で浴槽水の増量を抑えた注湯を行うことができる。また、浴槽水取出管からの浴槽水の流量を変化させることで、浴槽水と注湯管からの高温の湯の混合比を変化させて浴槽へ戻す温度を変化させることができる。
【００１１】
また、第２の発明は、水を加熱して湯にする加熱源と、加熱源により加熱された湯を浴槽に注湯する浴槽注湯管と、浴槽にある浴槽水を循環させる浴槽水取出管と、浴槽水取出管の途中に配置した浴槽側流量調節手段とを備え、浴槽水取出管からの湯水が浴槽注湯管へ流入して混合可能とするために浴槽水取出管は浴槽注湯管と接続し、浴槽水取出管からの湯水が浴槽注湯管へ流入して混合した場合、その混合湯水の温度に応じて浴槽側流量調節手段により浴槽水取出管を流れる流量を可変させるものである。それによって、取り出した浴槽水によって注湯管からの高温の湯の温度を下げて浴槽に注湯する。給湯装置から供給する湯の温度を高くしつつ、浴槽へもどる温度を低く抑えることができるので、安全な温度で浴槽水の増量を抑えた注湯を行うことができる。また、浴槽水取出管からの浴槽水の流量を変化させることで、浴槽水と注湯管からの高温の湯の混合比を変化させて浴槽へ戻す温度を変化させることができる。
【００１２】
第３の発明は、特に、第１または第２の発明の給湯装置を、加熱した湯を蓄える貯湯槽を備えたものとしたことによって、事前に加熱手段によって水を加熱して貯湯槽に蓄えておいて、必要なときに使用することができ、給湯装置の加熱能力以上の湯を供給することができる。
【００１３】
第４の発明は、特に、第１から第３の発明の給湯装置の加熱源をヒートポンプとしたことにより、大気熱を利用した加熱を行って、入力エネルギー以上の加熱エネルギーで貯湯を行う省エネルギーでランニングコストを抑えた装置とすることができる。
【００１４】
第５の発明は、特に、第４の発明のヒートポンプの冷媒回路を圧力が臨界圧力以上となる超臨界冷媒回路とし、前記臨界圧力以上に昇圧された冷媒により水を加熱することにより、冷媒が、圧縮機で臨界圧力以上に加圧されているので、水を加熱することによって熱を奪われて温度低下しても凝縮することがない。したがって、水を冷媒で加熱する熱交換器全域で冷媒側の流路と水側の流路とに温度差を形成しやすくなり、高温の湯が得られるとともに、熱交換効率が高くなる。
【００１５】
第６の発明は、特に第１から第３の発明の加熱源を燃料電池としたことにより、発電時に生じる廃熱によって高温水を貯湯して給湯に使用することで、エネルギーの利用効率の高いシステムとすることができる。
【００１６】
以下、本発明の実施の形態について、図面を参照しながら説明する。
【００１７】
（実施の形態１）
図１は本発明の第１の実施の形態における給湯装置の構成図である。まず、基本的な構成について説明する。
【００１８】
この給湯装置は貯湯式の装置であり、加熱された温水を貯めておく貯湯槽２１に、給水する給水管２２と、温水を取り出す給湯管２３が接続されている。給水管２２から給水バイパス管２４により給水を分岐し、給湯管２３に接続している。この接続部に、混合比率可変である給湯混合弁２５を設けて、貯湯槽２１からの高温水と給水バイパス管２４からの給水を混合して給湯するようにしている。また、浴槽２６への注湯を行うために、給湯管２３から分岐し、浴槽２６に接続した注湯管２７を備えており、この注湯管２７の途中に給水バイパス管２４を分岐して接続し、この接続部にも給湯管２３と同様に、混合比率可変である注湯混合弁２８を設けて、貯湯槽２１からの高温水と給水バイパス管２４からの給水を混合して注湯するようにしている。また、注湯管２７における注湯混合弁２８の下流に注湯側流量調節手段としての注湯弁２９を設けている。この注湯弁２９はその開度を任意に設定できる流量調節弁となっている。また、浴槽２６の水を取り出す浴槽水取出管３０を浴槽２６から注湯管２７における注湯弁２９の下流に接続し、この浴槽水取出管３０に浴槽２６の水を吸い出すためのポンプ３１を設けている。
【００１９】
また、注湯管２７における浴槽水取出管３０との接続部より下流に、風呂加熱熱交換器３２を設けており、貯湯槽２１の上部から高温水を取り出し、風呂加熱熱交換器３２に供給し、貯湯槽２１の下部に戻すように風呂加熱循環回路３３で循環回路を形成している。風呂加熱循環回路３３における風呂加熱熱交換器３２の下流に設けた風呂加熱循環ポンプ３４によって貯湯槽２１の高温水を風呂加熱熱交換器３２に供給し、注湯管２７を流れる水と熱交換して加熱を行う。
【００２０】
また、貯湯槽２１内の水を加熱するために、加熱源として大気熱を集熱して加熱するヒートポンプ熱源３５を備えている。このヒートポンプ熱源３５は冷媒として二酸化炭素を使用している。貯湯槽２１の下部からの水をヒートポンプ熱源３５で加熱し、貯湯槽２１の上部に戻すように、貯湯循環回路３６で接続し、循環を行うために貯湯循環ポンプ３７を設けている。
【００２１】
その他、センサ類として、注湯管２７の風呂加熱熱交換器３２の下流に注湯温度検出手段３８と水位検出手段３９、浴槽水取出管３０に浴槽水温度検出手段４０を設けている。
【００２２】
以上のように構成された給湯装置において、以下にその動作、作用について説明する。
【００２３】
まず、貯湯槽２１内の水を加熱源であるヒートポンプ熱源３５によって加熱して貯湯しておく貯湯運転時の動作について説明する。ヒートポンプ熱源３５内に設けた貯湯循環ポンプ３７を駆動させて貯湯槽２１の下部の水を貯湯循環回路３６によってヒートポンプ熱源３５に供給する。ヒートポンプ熱源３５は大気から集めた熱を有効に利用して加熱を行うため、入力エネルギー以上の熱量の加熱を行うことができる効率の良い熱源であり、それによって、省エネルギーでランニングコストを抑えた給湯装置とすることができる。
【００２４】
ヒートポンプ熱源３５で使用する冷媒を二酸化炭素としており、臨界圧力以上に昇圧さ
れた冷媒により水を加熱することにより、冷媒が圧縮機で臨界圧力以上に加圧されているので、水を加熱することによって熱を奪われて温度低下しても凝縮することがない。したがって、水を冷媒で加熱する熱交換器全域で冷媒側の流路と水側の流路とに温度差を形成しやすくなり、８０〜９０℃といった高温の湯が得られ、かつ熱交換効率を高くできる。
【００２５】
このヒートポンプ熱源３５によって加熱した高温水を貯湯槽２１の上部に戻すことを繰り返して貯湯槽２１全体の水を高温水としていく。このように貯湯槽２１に貯湯しておくことで、ヒートポンプ熱源３５の加熱能力以上の給湯を行うことができるという利点がある。また、このときの高温水の温度を給湯に使う温度である４０〜６０℃程度よりも大幅に高い８０〜９０℃として単位体積あたりの高温水がもつ熱量を大きくとることによって、貯湯槽２１に貯えられる熱量を大きくする。
【００２６】
給湯時には貯湯槽２１上部に接続された給湯管２３からの高温水と、給水バイパス管２４からの水を給湯混合弁２５において、給湯利用に適した任意の温度となるように混合比を調節して混合して給湯する。
【００２７】
また浴槽２６への注湯時には注湯弁２９を開け、注湯混合弁２８の混合比を調節して要求される浴槽２６の湯温となるように混合して注湯する。このとき水位検出手段３９によって、浴槽２６の水位を検出しながら注湯をおこなうことで要求される浴槽２６の湯量の注湯を行うことができる。
【００２８】
具体的には図２に示すように、リモコン（図示せず）により使用者が注湯要求を行った(ステップ２０１)後、水位検出手段３９により浴槽の水位が検出される（ステップ２０２）。そして、制御手段（図示せず）は水位検出手段３９による検出水位が予め定められている設定水位よりも高いかどうかを判断し（ステップ２０３）、水位検出手段３９による検出水位が設定水位よりも高ければ注湯を停止する（ステップ２０４）。
【００２９】
また、水位検出手段３９による検出水位が設定水位よりも低ければ、所定の注湯時間が設定され（ステップ２０５）、注湯弁２９が全開される（ステップ２０６）。そして、注湯温度検出手段３８は注湯管２７を流れる湯水温度を測定し（ステップ２０７）、注湯温度検出手段３８による測定温度が予め定められた設定注湯温度となるように注湯混合弁２８を制御する（ステップ２０８）。具体的には、注湯温度検出手段３８による測定温度が設定注湯温度よりも高ければ注湯混合弁２８の開度を水側に傾け、注湯温度検出手段３８による測定温度が設定注湯温度よりも低ければ注湯混合弁２８の開度を給湯管側に傾けるようにする。
【００３０】
この処理は、注湯時間がステップ２０５により設定した時間に達するまで続けられ、所定時間に達したと判断した（ステップ２０９）とき、注湯弁２９を閉とし（ステップ２１０）、ステップ２０２へ戻る。この処理はステップ２０４が行なわれるまで続けられる。
【００３１】
次に、浴槽２６への注湯が完了してから時間が経つと、人の入浴や外気への放熱などによって浴槽２６内の湯温が低下することに対して、浴槽２６の水の温度を上昇される方法について説明する。
【００３２】
例えば、５分おきといったように、定期的にポンプ３１を駆動して浴槽２６内の水を浴槽水取出管３０に取り出して浴槽水温度検出手段４０によってその温度を検知する。この検知温度が一定温度より低下した場合に、浴槽２６内の湯温を上昇させるために、注湯混合弁２８を高温水側全開として、給湯管２３からの高温水のみが流れるようにし、同時にポンプ３１を駆動して浴槽２６からの水を浴槽水取出管３０によって取り出し、それらを混合して浴槽２６に戻すようにする。注湯弁２９はその開度を変化させることで浴槽２６
からの水の流量に対する注湯管２７の流量比率を変化させることができるので、注湯温度検出手段３８の温度を人体が触れても危険でない上限温度である６０℃を超えないように注湯弁２９の開度を調節して注湯（差し湯）を行う。
【００３３】
これによって、貯湯槽２１からの供給温度をなるべく高くして浴槽２６へ供給される湯の量を極力少なくするとともに、浴槽２６に戻る湯の温度自体は安全な温度として浴槽２６内の水温を上昇させることができる。このとき、浴槽水取出管３０に設けた浴槽水温度検出手段４０によって浴槽２６から取り出した水の温度を常に検知できるので、この検知温度が所定の温度になるまでこの加熱を行う。
【００３４】
また、この給湯装置は浴槽２６の水の温度を上昇させる他の方法を備えており、ポンプ３１を駆動して浴槽水取出管３０によって浴槽２６から取り出した水と、風呂加熱循環ポンプ３４を駆動して風呂加熱循環回路３３によって貯湯槽２１から取り出した高温水を、風呂加熱熱交換器３２において熱交換することで浴槽２６の水の加熱を行う。この方法においては、浴槽２６の水は風呂加熱熱交換器３２を通ってまた浴槽２６に戻るだけなので浴槽２６の水の量は増加せず、水位上昇を伴わない加熱方法である。しかし、貯湯槽２１から取り出された高温水は、風呂加熱熱交換器３２で熱交換して放熱し温度低下した後、貯湯槽２１に戻されるので、貯湯槽２１内の温度分布を悪化させる。貯湯槽２１の高温水と混ざった場合は高温水の温度を低下させるし、水と混ざった場合は水の温度を上昇させる。混合することによって給湯に使えない温度になれば当然損失となり、給湯に使える程度の温度であっても、この温水が給湯などに利用されずに残ってしまい、それをまた高温に加熱したい場合には、ヒートポンプ熱源３５による加熱は加熱前の水の温度が高くなるほど効率が悪くなってしまう。
【００３５】
ヒートポンプ熱源３５による加熱効率といった観点から見ると、貯湯槽２１の高温水と浴槽２６の水を風呂加熱熱交換器３２で熱交換する加熱方法は極力使用しないほうがよい。よって、浴槽２６内の水の温度が低下しているとき、浴槽２６の水位も低下している場合が多いので、まずは先に説明したように、貯湯槽２１からの高温水と、浴槽水取出管３０によって浴槽２６から取り出した浴槽２６の水を混合してから浴槽２６に戻す方法を用いて浴槽２６の水の温度を上昇させる。
【００３６】
具体的には、図３に示すように、まずリモコン（図示せず）により使用者が差し湯運転の要求を行った(ステップ３０１)後、注湯混合弁２８の開度を給湯管側に全開するようにし（ステップ３０２）、ポンプ３１を駆動し（ステップ５０３）、注湯弁２９を開状態とする（ステップ３０４）。そして、注湯温度検出手段３８は注湯管２７を流れる湯水温度を測定し（ステップ３０５）、注湯温度検出手段３８による測定温度が予め定められた設定注湯温度（６０℃）となるように注湯弁２９の弁開度を制御しつつ（ステップ３０６）、浴槽水温度検出手段４０による浴槽水温を検出する（ステップ３０７）。制御手段は、浴槽水温度検出手段４０による検出温度が使用者の定める浴槽設定温度に達するかを判断し（ステップ３０８）、浴槽設定温度に達していなければステップ３０４に戻り処理を継続する。そして、浴槽水温度検出手段４０による検出温度が浴槽設定温度に達していれば、注湯弁２９を閉状態とし（ステップ３０９）、ポンプ３１を停止して（ステップ３１０）、注湯を終了する（ステップ３１１）。
【００３７】
このように、注湯管２７からの高温水に浴槽２６から取り出した水を混ぜてから浴槽２６へ注湯する方法を優先的に用いることによって、風呂加熱熱交換器３２を用いた加熱をなるべく行わないようにして貯湯槽２１の高温水の温度分布悪化を極力防ぐことができる。
【００３８】
また、浴槽２６から注湯管２７に接続され浴槽２６の水を取り出す浴槽水取出管３０に
よって浴槽２６の水を取り出して注湯管２７の湯と混合して浴槽２６に注湯するようにしたことによって、取り出した浴槽２６からの水によって注湯管２７からの高温の湯の温度を下げて浴槽２６に注湯する。給湯装置から供給する湯の温度を高くしつつも、浴槽２６へもどる温度を低く抑えることができるので、安全な温度で浴槽２６の水位増加を抑えた注湯を行うことができる。
【００３９】
なお、上記ステップ３０５では、注湯温度検出手段３８による測定温度が予め定められた設定注湯温度（６０℃）となるように注湯弁２９の弁開度を制御するとしたが、注湯弁２９の代わりとしてポンプ３１の開度で以て湯水流量を調節することによって温度調節してもよいし、あるいはポンプ３１と注湯弁２９とで以て同時に調節してもよい。
【００４０】
また、本発明はかかる上記実施の形態に限定されるものではなく、本発明の範囲を逸脱することなく、種々の変形又は修正が可能である。
【００４１】
（実施の形態２）
図４は本発明の第２の実施の形態における給湯装置の構成図である。図１に示した第１の実施の形態と同様の構成、要素などは同じ名称、番号で示し、異なる点を中心に説明を行う。
【００４２】
構成として、第１の実施の形態と大きく異なるところは、まず、この給湯装置の加熱はヒートポンプ熱源３５により給水管２２からの給水を直接加熱する方式を取っている点である。そのため、貯湯槽２１を持たず、風呂加熱熱交換器も持たない。また、注湯弁２９は単なる開閉弁であって流量制御機能は持たないが、ポンプ３１は浴槽水取出管３０側の流量を変化させることができるように、その駆動力を変化させることのできるＤＣ式のポンプとしている。
【００４３】
以上のように構成された給湯装置において、以下にその動作、作用について異なる点を説明する。
【００４４】
まず、給湯管２３からの給湯や注湯管２７からの浴槽２６への注湯を行う際には、給水をヒートポンプ熱源３５によって直接加熱して供給する。ヒートポンプ熱源３５は加熱後の高温水の温度が低い運転条件の方がその運転効率が高いので、なるべく加熱後の高温水の温度が低くなるよう、給湯もしくは注湯温度に近い温度となる加熱を行う。これによって、貯湯式のものより効率の良い給湯装置とすることができる。給湯と注湯が同時に行われ、その温度が異なる場合には、そのどちらかの温度の高いほうにヒートポンプ熱源３５で加熱した高温水の温度を合わせるとともに、給湯混合弁２５もしくは注湯混合弁２８によってそれぞれの温度に合わせて給水との混合を行う。
【００４５】
浴槽２６内の水の温度低下を検知すると、浴槽２６内の湯温を上昇させるために、注湯混合弁２８を高温水側全開とし、ヒートポンプ熱源３５の加熱温度を上昇させるとともに、ポンプ３１を駆動して浴槽２６からの水を浴槽水取出管３０によって取り出し、それらを混合して浴槽２６に戻すようにする。ポンプ３１はＤＣ式なのでその駆動力を変化させることで注湯管２７からの流量に対する浴槽２６からの水の流量比率を変化させることができるので、注湯温度検出手段３８の温度を人体が触れても危険でない上限温度である６０℃を超えないようにポンプ３１の駆動力を調節して注湯を行う。これによって、貯湯槽２１からの供給温度をなるべく高くして浴槽２６へ供給される湯の量を極力少なくするとともに、浴槽２６に戻る湯の温度自体は安全な温度として浴槽２６内の水温を上昇させることができる。このとき、浴槽水取出管３０に設けた浴槽水温度検出手段４０によって浴槽２６から取り出した水の温度を常に検知できるので、この検知温度が所定の温度になるまでこの加熱を行う。
【００４６】
この制御について、図５とともに具体的に説明する。まず、リモコン（図示せず）により使用者が差し湯運転の要求を行った(ステップ５０１)後、注湯混合弁２８をの開度を給湯管側に全開するようにし（ステップ５０２）、注湯弁２９を開状態とし（ステップ５０３）、ポンプ３１を駆動する（ステップ５０４）。そして、ヒートポンプ熱源３５を起動する（ステップ５０５）。
【００４７】
次に、注湯温度検出手段３８は注湯管２７を流れる湯水温度を測定し（ステップ５０６）、注湯温度検出手段３８による測定温度が予め定められた設定注湯温度（６０℃）となるようにポンプ３１を制御しつつ（ステップ５０７）、浴槽水温度検出手段４０による浴槽水温を検出する（ステップ５０８）。
【００４８】
制御手段は、浴槽水温度検出手段４０による検出温度が使用者の定める浴槽設定温度に達するかを判断し（ステップ５０９）、浴槽設定温度に達していなければステップ５０６に戻り処理を継続する。そして、浴槽水温度検出手段４０による検出温度が浴槽設定温度に達していれば、ヒートポンプ熱源３５を停止し（ステップ５１０）、注湯弁２９を閉状態とし（ステップ５１１）、ポンプ３１を停止して（ステップ５１２）、注湯を終了する（ステップ５１３）。
【００４９】
このように、浴槽２６から注湯管２７に接続され浴槽２６の水を取り出す浴槽水取出管３０によって浴槽２６の水を取り出して注湯管２７の湯と混合して浴槽２６に注湯するようにしたことによって、取り出した浴槽２６からの水によって注湯管２７からの高温の湯の温度を下げて浴槽２６に注湯する。給湯装置から供給する湯の温度を高くしつつも、浴槽２６へもどる温度を低く抑えることができるので、安全な温度で浴槽２６の水位増加を抑えた注湯を行うことができる。
【００５０】
なお、本発明はかかる上記実施の形態に限定されるものではなく、本発明の範囲を逸脱することなく、種々の変形又は修正が可能である。
【００５１】
（実施の形態３）
図６は本発明の第３の実施の形態における給湯装置の構成図である。図１に示した第１の実施の形態と同様の構成、要素などは同じ名称、番号で示し、異なる点を中心に説明を行う。
【００５２】
構成として、第１の実施の形態と大きく異なるところは、まず、この給湯装置の加熱は燃料電池４１とした点である。また、貯湯槽２１は備えているが、風呂加熱熱交換器は備えていない。また、注湯弁２９は単純な開閉式の弁であり、ポンプ３１はＡＣ駆動のポンプであり、浴槽水取出管３０と注湯管２７の接続部に風呂加熱混合弁４２を備えている点である。
【００５３】
以上のように構成された給湯装置において、以下にその動作、作用について異なる点を説明する。
【００５４】
まず、貯湯槽２１内の水を加熱源である燃料電池４１によって加熱して貯湯しておく貯湯運転時の動作について説明する。ヒートポンプ熱源３５内に設けた貯湯循環ポンプ３７を駆動させて貯湯槽２１の下部の水を貯湯循環回路３６によって燃料電池４１の法熱器に供給する。燃料電池４１は燃料から分解生成した水素を用いて発電を行うとともに、その時に生じる廃熱によって加熱を行って、電気と熱を利用することで燃料からみたエネルギー総合利用効率の良い装置とすることができる。貯湯槽２１を持ち、発電時に生じた廃熱を高温水として貯えておくことで必要な時に給湯利用することができるので、電気と熱を
無駄にすることなく利用できる。
【００５５】
給湯や注湯を行う際には、給湯混合弁２５と注湯混合弁２８によって、それぞれの温度に合わせた貯湯槽２１の高温水と給水との混合を行う。
【００５６】
浴槽２６内の水の温度低下を検知すると、浴槽２６内の湯温を上昇させるために、注湯混合弁２８を高温水側全開とし、注湯弁２９を開けて、注湯管２７から高温水を供給する。また、ポンプ３１を駆動して浴槽２６からの水を浴槽水取出管３０によって取り出す。これらを風呂加熱混合弁４２において、任意の混合比率で混合して浴槽２６に戻すようにする。注湯温度検出手段３８の温度を人体が触れても危険でない上限温度である６０℃を超えないように風呂加熱混合弁４２の混合比率を調節して注湯を行う。これによって、貯湯槽２１からの供給温度をなるべく高くして浴槽２６へ供給される湯の量を極力少なくするとともに、浴槽２６に戻る湯の温度自体は安全な温度として浴槽２６内の水温を上昇させることができる。このとき、浴槽水取出管３０に設けた浴槽水温度検出手段４０によって浴槽２６から取り出した水の温度を常に検知できるので、この検知温度が所定の温度になるまでこの加熱を行う。
【００５７】
このように、浴槽２６から注湯管２７に接続され浴槽２６の水を取り出す浴槽水取出管３０によって浴槽２６の水を取り出して注湯管２７の湯と混合して浴槽２６に注湯するようにしたことによって、取り出した浴槽２６からの水によって注湯管２７からの高温の湯の温度を下げて浴槽２６に注湯する。給湯装置から供給する湯の温度を高くしつつも、浴槽２６へもどる温度を低く抑えることができるので、安全な温度で浴槽２６の水位増加を抑えた注湯を行うことができる。
【００５８】
なお、本発明はかかる上記実施の形態に限定されるものではなく、本発明の範囲を逸脱することなく、種々の変形又は修正が可能である。
【産業上の利用可能性】
【００５９】
以上のように、本発明にかかる給湯装置は、浴槽の水を取り出して注湯管の湯と混合して浴槽に注湯するようにしたことによって、取り出した浴槽からの水によって注湯管からの高温の湯の温度を下げて浴槽に注湯する。給湯装置から供給する湯の温度を高くしつつも、浴槽へ戻す温度を低く抑えることができるので、安全な温度で浴槽の水位増加を抑えた注湯を行うことができる。このような構成は実施の形態で挙げた給湯装置の加熱源以外にも、例えば、ガスや石油による燃焼器を持つ加熱源や、太陽熱を利用した加熱源など様々なものに利用することができる。
【図面の簡単な説明】
【００６０】
【図１】本発明の実施の形態１における給湯装置の回路図
【図２】本発明の実施の形態１における給湯装置の制御フロー図
【図３】本発明の実施の形態１における給湯装置の制御フロー図
【図４】本発明の実施の形態２における給湯装置の回路図
【図５】本発明の実施の形態２における給湯装置の制御フロー図
【図６】本発明の実施の形態３における給湯装置の回路図
【図７】従来例における給湯装置の回路図
【符号の説明】
【００６１】
２１  貯湯槽
２６  浴槽
２７  注湯管
２９  注湯弁
３０  浴槽水取出管
３１  ポンプ
３５  ヒートポンプ熱源
３８  注湯温度検出手段
３９  水位検出手段
４０  浴槽水温度検出手段
４１  燃料電池
４２  風呂加熱混合弁
【図１】
2007309615.tif 000003
【図２】
2007309615.tif 000004
【図３】
2007309615.tif 000005
【図４】
2007309615.tif 000006
【図５】
2007309615.tif 000007
【図６】
2007309615.tif 000008
【図７】
2007309615.tif 000009